(57)【要約】  本発明は、表面（２）と、第一および第二の端部（５、６）を有する円柱状バレルの形態の初期形状（４）を有する連続ネジ溝（３）とを備える歯置換部（１）の３Ｄモデルに基づく、インプラント上に固定される歯置換部を製造する方法に関し、ネジ溝（３）の断面積（７）は、一定および／またはネジ溝（３）の第二の端部（６）に向かってサイズが増大するよう設計されており、ジャケット表面（１０）、上面（１１）、および下面（１２）を有するインレー（９）の３Ｄモデルが生成され、ネジ溝（３）の最終形状（８）の第二の端部（６）を通して切断される歯置換部（１）の３Ｄモデルの表面（２）の一部が上面（１１）として用いられ、ジャケット表面（１０）は第二の端部（６）に隣接するネジ溝（３）の最終形状（８）の一部のメス型として構成される。【選択図】  図１
2018524081.tif 000002
【特許請求の範囲】
【請求項１】
表面（２）を有する歯置換部（１）の３Ｄモデルに基づく、インプラントに固定される歯置換部を製造する方法であって、歯置換部（１）の３Ｄモデルでは、第一のインプラント側の端部（５）と第二の咬合または切端側の端部（６）を有する円筒状バレルの形態の初期形状（４）を有する固定ネジ用の連続ネジ溝（３）が自動および／または手動で生成される、方法において、
-  前記ネジ溝（３）の断面積（７）が一定および／または前記ネジ溝（３）の前記第二の端部（６）に向かってサイズが増大するよう設計され、結果として生じる形状が前記ネジ溝（３）の最終形状（８）として記憶されることと、
-  ジャケット表面（１０）、上面（１１）、および下面（１２）を有するインレー（９）の３Ｄモデルが生成され、前記ネジ溝（３）の前記最終形状（８）の前記第二の端部（６）を通して切断される前記歯置換部（１）の前記３Ｄモデルの前記表面（２）の一部が前記上面（１１）として用いられ、前記ジャケット表面（１０）が前記第二の端部（６）に隣接する前記ネジ溝（３）の前記最終形状（８）の一部のメス型として構成されることと、を特徴とする、方法。
【請求項２】
前記歯置換部（１）の前記３Ｄモデルの前記表面（２）上の前記ネジ溝（３）のサイズの増大を設計するために、前記ネジ溝（３）の前記円柱状初期形状（４）を円周方向に包囲する線（１３）が手動および／または自動で生成されることと、
前記サイズの増大の傾斜または長さが自動および／または手動で指定されることと、前記ネジ溝（３）の前記最終形状（６）が前記指定の傾斜で、または前記指定の長さを超えて前記線（１３）までサイズが増大するよう設計されることと、を特徴とする、請求項１に記載の方法。
【請求項３】
前記インレー（９）の前記３Ｄモデルの前記ジャケット表面（１０）が、前記インレー（９）の前記３Ｄモデルの縦軸（１４）方向に少なくとも部分的に自動および／または手動で移動されることを特徴とする、請求項１または２に記載の方法。
【請求項４】
前記サイズの増大の領域における前記ネジ溝の前記断面積（７）が、回転に対して固定するために、円周方向に独特の非回転対称形状で構成されることを特徴とする、請求項１〜３のいずれか１項に記載の方法。
【請求項５】
固定ネジ用の連続ネジ溝（３）を有する歯置換部（１）からなる、歯欠損の再建用のベニア構造において、少なくとも前記ネジ溝（３）の第二の切端または咬合端部（６）に隣接する領域における前記ネジ溝（３）は、一定および／または前記切端、咬合、または口腔領域に向かって増大する断面積（７）を有していることと、前記ベニア構造は、上面（１１）、下面（１２）およびジャケット表面（１０）を有するインレー（９）を備え、前記ジャケット表面（１０）は前記切端、咬合または口腔面に隣接する前記ネジ溝（３）の一部のメス型に対応し、前記上面（１１）は、前記ネジ溝（３）の前記領域における前記切端、咬合または口腔表面の延長を表すことと、を特徴とする、ベニア構造。
【請求項６】
前記第二の端部（６）に隣接する前記領域における前記ネジ溝（３）が円周方向に独特であって、前記歯置換部（１）と前記インレー（９）との間に円周方向に独特の配向を確保する、形状を有することを特徴とする、請求項５に記載のベニア構造。
【発明の詳細な説明】
【技術分野】
【０００１】
本発明は、円筒状バレルの形態の初期形状を有する固定ネジ用の連続ネジ溝が自動および／または手動で生成される歯置換部の３Ｄモデルに基づく、インプラントに固定される歯置換部の製造方法と、対応するベニア構造に関する。
【背景技術】
【０００２】
従来技術
従来技術は、インプラント上に歯置換部を固定するためのいくつかの方法を開示する。
【０００３】
公開公報ＤＥ６９２１５１０６Ｔ２は、オーバーサイズの歯形状インプラントヘッドがインプラント上に固定され、歯の外部表面として比較的薄いコーティングが設けられる、歯欠損の再建方法を開示している。
【０００４】
ＵＳ２００３／００９６２１４Ａ１は、デジタル処理工程による歯置換部の製造方法を記載する。
【０００５】
ＷＯ２０１２／０５２４８２Ａ１は、インプラントがアバットメントによって供給され、対応する凹部を有する歯置換部がアバットメントに接着される、歯置換部のための患者個別のアタッチメントシステムを提供する方法を記載する。その欠点は、例えば、ネジをチェックまたは締めるためには、歯置換部を破壊しなければ歯置換部を取り外し得ないことである。
【０００６】
ネジにアクセスするためのより容易な方法は、アバットメントおよび歯置換部に、固定ネジ用の連続ネジ溝を設け、ネジを固定した後、該ネジ溝をコンポジット充填によって塞ぐことで達成し得る。コンポジットを除去することで、ネジに容易にアクセス可能である。しかしながら、その欠点は、アバットメントおよびネジの部分がコンポジット充填から透けて見えることが多く、その結果、歯置換部に比べてネジ溝が暗く見えることである。
【０００７】
ＵＳ２０１５／００７９５４２Ａ１によると、この影響は、アバットメントを、コアおよび歯置換部と色が一致するジャケットの２つの部分で構築することで最小化し得る。しかし、この設計でも、固定ネジのネジ頭が歯置換部から透けて見えることを防ぎ得ない。
【０００８】
本発明の目的は、代替的方法、あるいはより具体的には、上記の欠点を克服し、従来技術をさらに発展させるための、欠損の再建のための歯置換部を提供することである。
【発明の概要】
【０００９】
本発明の１つの目的は、歯置換部の３Ｄモデルに基づく、インプラントに固定される歯置換部の製造方法であり、歯置換部の３Ｄモデルでは、第一のインプラント側の端部と第二の咬合または切端側の端部とを有する円筒状バレルの形態の初期形状を有する固定ネジ用の連続ネジ溝が自動および／または手動で生成される。次に、ネジ溝の断面積は、一定および／またはネジ溝の第二の端部に向かってサイズが増大するよう設計され、ネジ溝の最終形状として記憶される。次に、ジャケット表面、上面および下面を有するインレーの３Ｄモデルが生成され、ネジ溝の最終形状の第二の端部を通して切断される歯置換部の３Ｄモデルの表面の一部は上面として用いられ、ジャケット表面は第二の端部に隣接するネジ溝の最終形状の一部のメス型として構成される。
【００１０】
歯置換部は、歯欠損の再建を意図した、固定ネジによって固定される、任意の公知のベニア構造とし得ることに留意されたい。具体的には、歯置換部は、クラウンまたはブリッジであり得る。ベニア構造は、１つまたはいくつかの部分で形成され得る。ベニア構造は、例えば、アバットメントとクラウンからなり得、クラウンは、インレーによって充填されるネジ溝を含有する。
【００１１】
さらに、ネジ溝の断面積が一定のままである場合、元の形状がインレーのテンプレートとして用いられることにも留意されたい。サイズの増大はあらゆる形態をとり得る。これは、サイズの増大は漸次的および／または連続的であり得、断面積の周囲の個々の領域のみに影響を及ぼし得るため、断面積の形状が変化することを意味する。断面積が端部に向かって増大するように設計される場合、これは単に、少なくとも第二の端部の断面積が第一の端部の断面積よりも大きい表面積を有することを意味する。
【００１２】
インレーとは、ベニア構造の対応する凹部に嵌入される第二の構成要素として定義される。また、これは、通常アンレーと称され、特に、臼歯の領域における歯置換部の舌面および／または口蓋面の大きな面積を占める、構成要素でもあり得る。
【００１３】
インレーは、単に、切端、咬合、または口腔面の方向において増大するネジ溝の断面積を通してネジ溝に挿入し得、そして、例えば、結合剤が切端または咬合面上で見えないように物質的に結合し得る。
【００１４】
ネジ溝を設計するために、切端、咬合、または口腔面の断面積の最大直径または周囲、および／またはサイズの増大が展開される増大を規定する傾斜または曲線または長さは、予め指定され得るか、または本方法の実施中にクエリされ得る。
【００１５】
例えば、３Ｄモデル中に点または線を描くまたはマークすることによる、あるいはパラメータを規定することによる、ユーザの選択の自由は、既定の閾値または境界条件によって制限され得る。例えば、増大が展開され得る、傾斜の最小値、長さの最大値、または断面積の最小増大が記憶され得る。
【００１６】
ネジ溝をインレーで充填することは、歯置換部とインレーからなる最終ベニア構造の、切端、咬合、または口腔面の配色が均一、特に、ネジ溝の上部の領域の色が歯置換部の表面の他の部分と一致することを確実にする。
【００１７】
本発明の方法の利点の１つは、インレーを除去することで、歯置換部の残部を破壊することなく、固定ネジに同時に容易にアクセスすることが確保され、可能な限り天然歯に近い、均一な色を有する表面が達成されることである。
【００１８】
有利には、歯置換部の３Ｄモデルの表面上のネジ溝のサイズの増大を設計するために、ネジ溝の円筒状の初期形状を円周方向に包囲する線が、自動および／または手動で生成され、サイズの増大の傾斜または長さが自動および／または手動で指定され、そして、ネジ溝の最終形状が指定された傾斜で、または指定の長さを超えて線までサイズが増大するよう設計される。このアレンジメントは、ユーザが、ネジ溝の断面積の増大を容易に設計または再構築することを可能にする。
【００１９】
有利には、インレーの３Ｄモデルのジャケット表面は、インレーの３Ｄモデルの縦軸の方向に少なくとも部分的に、自動および／または手動で移動される。このようにして、歯置換部とインレーから構成されるベニア構造は、例えば接着剤などの結合剤用の隙間を有する。
【００２０】
有利には、回転に対して固定するために、サイズの増大の領域におけるネジ溝の断面積は、円周方向に独特の非回転対称形状で構成される。第二の端部の領域におけるネジ溝の断面積の円周方向線は、例えば、円筒状バレルの形態の初期形状の円形状から逸脱する凹湾曲を有し得る。
【００２１】
用語「独特」または「非回転対称」とは、本文脈では、インレーがネジ溝に挿入されるときにインレーがネジ溝の縦軸周りの回転に対して適切に位置付けられて、歯置換部の表面とインレー構成要素が互いに補完して可能な限り歯に似た表面を生成することを確実にする、断面積の形状または構成を意味する。
【００２２】
さらに、本発明は、歯欠損の再建のためのベニア構造に関し、該ベニア構造は、固定ネジ用の連続ネジ溝を有する歯置換部からなり、少なくともネジ溝の第二の切端または咬合端部に隣接する領域におけるネジ溝は、一定および／または切端、咬合、または口腔領域に向かって増大する断面積を有する。さらに、ベニア構造は、上面、下面、およびジャケット表面を有するインレーを備え、ジャケット表面は切端、咬合、または口腔面に隣接するネジ溝の一部のメス型に対応し、上面は、ネジ溝の領域における切端、咬合、または口腔面の延長を表す。
【００２３】
本発明のベニア構造の利点は、一方では、ベニア構造をインプラント上に固定する固定ネジのアクセスの容易さであり、他方では、適切に歯に似たベニア構造全表面の均一の色および／または外観の保証である。
【００２４】
有利には、第二の端部に隣接する領域におけるネジ溝は、円周方向に独特であって、歯置換部とインレーとの間に円周方向に独特の配向を確保する、形状を有する。
【図面の簡単な説明】
【００２５】
本発明の例示的実施形態を図面で示す。図面は次に示される：
【図１】図１は、歯置換部の３Ｄモデルである。
【図２】図２は、歯置換部を補完するインレーである。
【発明を実施するための形態】
【００２６】
例示的実施形態
図１は、臼歯用インプラント（図示せず）上に固定される歯置換部のＣＡＭベースの製造のための、歯置換部１の３Ｄモデルの概略表現である。歯置換部１の３Ｄモデルは、咬合面、側面および下面からなる表面２を有し、特に、咬合面および側面は、歯欠損を再建するための最終ベニア構造の所望の形状または構造を既に有する。固定ネジ（図示せず）用のネジ溝３は、下面から咬合面にまで歯置換部１の３Ｄモデルを貫通する。
【００２７】
ネジ溝３は手動および／または自動で生成され、第一のインプラント側の端部５と第二の咬合側の端部６を有する、円筒状バレルの形態の初期形状４を有する。初期形状４を生成するためには、特に、歯置換部と共に供給されるインプラントのインプラント軸と、固定ネジの直径を考慮する必要がある。
【００２８】
初期形状４から開始して、ネジ溝３の最終形状８が生成され、この場合、該最終形状は、第二の端部６の方向、すなわち咬合面の方向に増大する断面積５を有する。この目的のために、ネジ溝の第二の端部６を完全に包囲する線１３は、自動および／または手動、例えば、コンピュータマウスなどの入力手段によって歯置換部１の３Ｄモデルの咬合面上に描かれる。本線は、円筒状バレルの形態の初期形状４の直径よりも大きな直径を有する円形とし得る。ネジ溝３の縦軸１５周りの回転方向に独特の接続ジオメトリを提供するために、該線はまた、図１に示すように、波状で非回転対称の外形も有し得る。
【００２９】
次に、円筒状バレルの形態の初期形状が少なくとも第二の端部６の領域において線１３まで拡張して、線１３がネジ溝３の第二の端部６を形成するという点で、ネジ溝３の最終形状８が製造される。この目的のために、該拡張、より具体的には、第二の端部６に向かったサイズの増大が展開する、固定の傾斜値、傾斜度、または長さもが、予め、および／またはユーザの入力により設定される。結果として得られる、第一の端部５の領域において円筒状バレル形状の首部と第二の端部６の領域における、例えば円錐台形状に増大する端部を持つネジ溝３は、最終形状８として記憶される。
【００３０】
次に、図２の概略図に示すように、ネジ溝３の第二の端部６に嵌入するインレー９の３Ｄデータ記録が、ネジ溝３の最終形状８に基づいて生成される。この目的のために、歯置換部１の３Ｄデータ記録の咬合面から、ネジ溝３の第二の端部６を通して切断される表面の一部を、上面１１として用いる。インレー９のジャケット表面１０は、第二の端部６の領域おけるネジ溝３の最終形状８の一部のメス型として構成され、インレーを終端させる下面１２によって補完される。
【００３１】
自動的に、または手動で生成する場合は既定の境界条件によってネジ溝３の最終形状８を生成、およびインレー９を生成することで、完成した歯置換部１とインレー９が確実に審美性、安定性、および耐久性の所望の要件を満たすようにし得る。例えば、ネジ溝３のサイズの増大が展開する、長さの最小値を指定することで、内部に嵌入されるインレーが確実に、所望の材料から製造されて色または審美性の要件を満たすのに十分な高さまたは厚さを有するようにし得る。
【００３２】
ネジ溝３におけるインレーのしっかりとした固定を確実とし得るため、ジャケット表面１０は、図２の点線に示すように、以後の処理ステップにおいてインレー９の縦軸方向１４に少なくとも部分的に移動され得る。このようにして、インレー９の歯置換部１への挿入時に、例えば接着剤などの結合剤用の隙間が形成される。
【符号の説明】
【００３３】
参照符号のリスト
１  歯置換部の３Ｄモデル
２  歯置換部の３Ｄモデルの表面
３  ネジ溝
４  ネジ溝の初期形状
５  ネジ溝の第一の端部
６  ネジ溝の第二の端部
７  ネジ溝の断面積
８  ネジ溝の最終形状
９  インレー
１０  インレーのジャケット表面
１１  インレーの上面
１２  インレーの下面
１３  線
１４  インレーの縦軸
１５  ネジ溝の縦軸
【図１】
2018524081.tif 000003
【図２】
2018524081.tif 000004
【国際調査報告】
2018524081.tif 000005
2018524081.tif 000006
2018524081.tif 000007
2018524081.tif 000008
2018524081.tif 000009
2018524081.tif 000010
2018524081.tif 000011
2018524081.tif 000012
2018524081.tif 000013
2018524081.tif 000014